(57)【特許請求の範囲】
【請求項１】
破砕すべき対象物が投入される投入口を有するハウジングと、
ハウジング内で上記投入口の下方に配置されて、軸方向の周りで一方向に回転するローターと、
ローターの周面に対向する位置でハウジングに固定された固定刃を備えた破砕機に使用される可動刃であり、
この可動刃はローターの外周面に形成した台座に装着されて上記ローターと共に回転することで上記固定刃との間で対象物を剪断するように構成され、
上記台座は、上記ローターの軸方向に沿った平面をなす保持面を有し、
上記可動刃は、前面、後面、上面、下面および両側面を有する金属体であり、
上記金属体の前面が上記固定刃に対向する逃げ面を規定し、
上記金属体の上面が上記ローターの回転方向前方に位置するすくい面を規定し、
上記金属体の底面が上記保持面に面接合する取付面を規定し、
上記可動刃は上記取付面を上記保持面に面接させる形で上記台座に保持され、
上記すくい面と上記逃げ面との間に４０〜５０度の刃先角が形成され、
上記すくい面が上記取付面と非平行となり、
上記すくい面の前端と上記逃げ面の前端との間に形成される切刃縁が、取付面の前端縁に対して傾斜した
ことを特徴とする破砕機用刃物を研磨するための研磨装置にセットするための治具で有り、
上記研磨装置は上記治具が載置される平坦な研磨台と、この研磨台と平行な面内で移動する研磨ヘッドとを備え、
上記治具は、上面、下面、正面、後面、両側面を有するブロックであり、
上記ブロックの底面が上記研磨台に面接触する基底面を規定し、
上記ブロックの上面に上記の可動刃を載置する載置面が形成され、
上記ブロックの後面側に上記の載置面より上方に突出するガイドが形成され、
上記ガイドが上記可動刃の後面に面接触して上記の可動刃をその前後方向で位置決めする第１位置決め面を形成し、
上記載置面が上記可動刃の取付面に合致する形状となり、上記基底面と所定の角度で傾斜してこの載置面に載置する可動刃のすくい面が上記基底面と平行な状態で上記ブロック上面に露出し、
上記ブロックに、上記載置面の一端で上記可動刃の一方の側面を受け止めて上記可動刃の左右方向の位置決めを行う第２位置決め面が形成され、
上記ブロックは長尺体で有り、その長手方向に沿って複数の上記載置面が並んで形成され、隣り合う載置面同士が上記の第２位置決め面で区画されて第２位置決め面が隣り合う載置面間の段差を形成し、
各載置面に載置された各可動刃はすくい面が一平面内で一列に並ぶようにセットされるようにした
ことを特徴とする破砕機用刃物の研磨治具。
【請求項２】
前記金属体の後面が上記取付面と直交する面であり、
上記の切刃縁は、金属体の一方の側面から他方の側面に行くに従って、上記後面の上端縁からの奥行き（Ｄ）及び上記取付面の前端縁からの高さ（Ｈ）が次第に短くなるように傾斜した
ことを特徴とする請求項１に記載の破砕機用刃物の研磨治具。
【請求項３】
上記載置面の左右方向の一端で上記第２位置決め面に近い箇所に、上記ガイドから上記ブロックの正面に至る凹溝が形成されたことを特徴とする請求項１または２に記載の破砕機用刃物の研磨治具。
【請求項４】
上記の凹溝が上記ブロックの正面に開口した
ことを特徴とする請求項３に記載の破砕機用刃物の研磨治具。
【請求項５】
刃物をブロックに固定するボルトの先端が螺合するねじ穴が載置面に形成されたことを特徴とする請求項１〜請求項４に何れかの記載の破砕機用刃物の研磨治具。
【発明の詳細な説明】
【技術分野】
【０００１】
本発明は、対象物を破砕するための破砕機におけるローターに装着される可動刃を研磨する研磨装置にこの可動刃を保持するための研磨治具に関するものである。
【背景技術】
【０００２】
特許文献１、２に示されるように、破砕機に使用される可動刃は、一方向に回転するローターの周面に装着され、このローターを収容するハウジングに固定された固定刃と協働して対象物を破砕する刃物である。この可動刃の刃先縁は、各種の形状があるものの、ローターの軸方向を含む平面に収められており、ローターの回転に伴って可動刃の刃先縁はその全長に亘って固定刃の刃先縁へ同時に到達することになる。この結果、可動刃の刃先縁が同時に剪断力を担う機会が多くなり、対象物を破砕する際に大きな負荷が一度に可動刃に作用し、剪断能力の低下を招くだけでなく、可動刃の寿命を低下させることが問題となっている。同時に破砕の際の騒音も大きくなり、作業環境を悪化させる要因となっている。
【先行技術文献】
【特許文献】
【０００３】
【特許文献１】特開２００４−３３７７３３号公報
【特許文献２】特開２０１３−２４８６１８号公報
【発明の概要】
【発明が解決しようとする課題】
【０００４】
本発明の目的とするところは、対象物の破砕能力を高め、可動刃の寿命を向上し、騒音の低下が期待できる特殊な形状の破砕機用刃物を研磨するための有用な研磨治具を提供することである。
【課題を解決するための手段】
【０００５】
本発明において用いる破砕機用刃物は、破砕すべき対象物が投入される投入口１２を有するハウジング１０と、ハウジング１０内で投入口１２の下方に配置されて、軸方向の周りで一方向に回転するローター２０と、ローター２０の周面に対向する位置でハウジング１０に固定された固定刃３０を備えた破砕機に使用される可動刃４０である。
【０００６】
この可動刃４０はローター２０の外周面に形成した台座２２に装着されてローター２０と共に回転することで固定刃３０との間で対象物を剪断するように構成される。台座２２は、ローター２０の軸方向に沿った平面をなす保持面２３を有する。可動刃４０は、前面、後面、上面、下面および両側面を有する金属体であり、金属体の前面が固定刃３０に対向する逃げ面４１を規定し、金属体の上面がローター２０の回転方向前方に位置するすくい面４２を規定し、金属体の底面が保持面２３に面接合する取付面４３を規定する。
【０００７】
可動刃４０は取付面４３を保持面２３に面接させる形で上記台座２２に保持される。すくい面４２と逃げ面４１との間に４０〜５０度の刃先角が形成され、すくい面４２が取付面４３と非平行となる。すくい面４２の前端と逃げ面の前端との間に形成される切刃縁４７が、取付面４３の前端縁に対して傾斜している。
【０００８】
可動刃４０がこのような形状を有することにより、ローター２０の回転に伴って、可動刃４０の切刃縁４７が固定刃３０の刃先縁に対して斜めに交わる形で近づくことができ、剪断能力が向上でき、剪断に伴う騒音をも低下させることができる。
【０００９】
金属体の後面４６は取付面４３と直交する面とされており、切刃縁４７は金属体の一方の側面４０から他方の側面４０に行くに従って、後面４６の上端縁からの奥行き（Ｄ）及び取付面４３の前端縁からの高さ（Ｈ）が次第に短くなるように傾斜していることが望ましい。この形態においては、可動刃４０の切刃縁４７が固定刃３０の刃先縁に近づく際に、可動刃４０の逃げ面４１に相対する方向から見た場合に、可動刃４０の切刃縁４７が固定刃３０の刃先縁に対して斜めとなるだけで無く、すくい面４２に相対する方向から見た場合でも、可動刃４０の切刃縁４７が固定刃３０の刃先縁に対して斜めの関係で近づくことができ、より一層剪断能力が高められ、破砕時の騒音もより一層低下させることができる。
【００１０】
本発明に係る研磨治具は、上述の破砕機用刃物を研磨するための研磨装置にセットするための治具であり、この研磨装置は、治具を載置する平坦な研磨台１００と、この研磨台１００と平行な面内で移動する研磨ヘッド１１０とを備える。研磨治具は、上面、下面、正面、後面、両側面を有するブロック６０であり、ブロック６０の底面が研磨台１００に面接触する基底面６１を規定し、ブロック６０の上面に破砕機用刃物である可動刃４０を載置する載置面６２が形成される。ブロック６０の後面側には載置面６２より上方に突出するガイド６３が形成され、ガイド６３は可動刃４０の後面４６に面接触して可動刃４０をその前後方向で位置決めする第１位置決め面６４を備える。載置面６２は可動刃４０の取付面４３に合致する形状となり、基底面６１と所定の角度で傾斜してこの載置面６２に載置する可動刃４０のすくい面４２が上記基底面６１と平行な状態でブロック６０上面に露出する。ブロック６０には、載置面６２の一端で可動刃４０の一方の側面４４を受け止めて可動刃４０の左右方向の位置決めを行う第２位置決め面６５が形成される。
【００１１】
治具はその第１位置決め面６４と第２位置決め面６５で可動刃４０の２面を受け止めることで、可動刃４０のすくい面４２を研磨台１００と平行とした状態で、載置面６２上に可動刃４０を保持できる。このため、研磨台１００の平面と平行な面内で移動する研磨ヘッド１１０によって可動刃４０のすくい面４２を正しく研磨することができる。
【００１２】
治具は複数の可動刃４０を一列に並べて保持することが望ましい。この場合、ブロック６０は長尺体となり、その長手方向に沿って複数の載置面６２が並んで形成され、隣り合う載置面６２同士が第２位置決め面６５で区画され、第２位置決め面６５が隣り合う載置面６２間の段差を形成する。このため、複数の可動刃４０が互いのすくい面４２を連続させる形で治具に保持することができ、複数の可動刃４０を同時に研磨することができる。
【００１３】
可動刃４０は、その制作過程において、一方の側面４４から取付面４３に若干のバリが突出することがあるが、多少のバリがあっても、可動刃４０を正しい位置にセットできるようにすることが好ましい。この場合、載置面４２の左右方向の一端で第２位置決め面６５に近い箇所に、ガイド６３からブロック６０の正面に至る凹溝６７が形成され、この凹溝６７内にバリを収めることで、すくい面４２を研磨台と平行となるように正しくセットすることができる。
【００１４】
凹溝６７はブロック６０の正面に開口することが望ましい。これにより、バリのある可動刃４０であっても、可動刃４０を載置面６２の前方からスライドさせて載置面６２にセットすることができる。
【発明の効果】
【００１５】
本発明において用いる破砕機用刃物は、ローターの周面に取り付けられて先端の切刃縁が回転軌跡を描く際に、対応する固定刃の刃先縁に対して常に斜めに交差して、対象物の破砕能力を高めることができ、寿命が向上することに加えて騒音の低下をもたらすことができる。
そして本発明に係る研磨治具は、上述したような特殊形状の刃先縁を実現した刃物を、通常の研磨装置を利用して、容易に研磨することを可能にする。
【図面の簡単な説明】
【００１６】
【図１】本発明において用いる破砕機用刃物を取り付けた破砕機を示す概略図。
【図２】同上の破砕機に用いられるローターを示す斜視図。
【図３】同上のローターの周面の一部を示す部分斜視図。
【図４】同上の破砕機に用いられるスクリーンを示す斜視図。
【図５】同上の刃物を示す斜視図。
【図６】同上の刃物の平面図。
【図７】同上の刃物の正面図。
【図８】同上の刃物の右側面図。
【図９】同上の刃物の左側面図。
【図１０】同上の刃物の底面図。
【図１１】（Ａ）（Ｂ）（Ｃ）は同上の刃物と固定刃との切断関係を一方向から見て説明する概略説明図。
【図１２】（Ａ）（Ｂ）（Ｃ）は同上の刃物と固定刃との切断関係を別の方向から見て説明する概略説明図。
【図１３】本発明の破砕機用刃物の研磨治具を示す斜視図。
【図１４】同上の治具の正面図。
【図１５】同上の治具の上面図。
【図１６】同上の治具に刃物が載置された状態を示す正面図。
【図１７】同上の治具に刃物が載置された状態を示す上面図。
【図１８】同上の治具にセットされた刃物を研磨する研磨装置を示す説明図。
【発明を実施するための形態】
【００１７】
以下、本発明の実施の形態を説明する。
【００１８】
本発明の一実施形態に係る破砕機用刃物について、添付図面に基づいて、説明する。破砕機は、例えば、金属製品やプリント基板等の産業廃棄物である対象物Ｔを、所定の粒度の破砕片Ｆに破砕し、破砕片Ｆを取り出すように構成される。
【００１９】
図１に示すように、破砕機は、内部にローター２０を収容するハウジング１０と、ベルトコンベア２から搬送される対象物Ｔをハウジング１０内に落とし込む投入口１２と、ローター２０をその軸の回りで回転させるモーター１８を備える。ローター２０はその中心軸２１でハウジング１０へ支持され、この軸の回りに回転駆動され、周面に配置される複数の可動刃４０と、ハウジング１０側に配置された固定刃３０とで投入口１２から投入された対象物Ｔを切断する。ローター２０の下面側には、スクリーン３６が可動刃４０の回転軌跡Ｐに沿って配置される。このスクリーン３６は、図３に示すように、多数の排出孔３８を有し、湾曲したスクリーン３６に沿って移動する可動刃４０と排出孔３８の開口縁とで、対象物Ｔが破砕されるとともに、所定の粒度に破砕された破砕片Ｆを排出孔３８で篩い分けられる。篩い分けられた破砕片Ｆは、ハウジング１０下端のコレクタ１４に集められ、ダクト１６から外部へ送り出される。
【００２０】
図２に示すように、ローター２０は複数の可動刃４０をその軸方向及び周方向に沿って並ぶ形で保持するように構成され、図３に示すように、外周面に配置した複数の台座２２にボルト２８を用いて固定する。台座２２はローター２０の軸方向に沿った平面である保持面２３と保持面２３に直角をなす背面２４を有し、保持面２３に設けたねじ穴２５にネジ止めされるボルト２８によって可動刃４０を台座２２に固定する。ローター２０は一方向に回転駆動され、ローター２０に装着された可動刃４０の先端が３００ｍｍ〜５００ｍｍの範囲内の直径の円軌跡Ｐを描く。
【００２１】
可動刃４０は刃物鋼でできた六面体であり、図５〜図１０に示すように、底面が台座２２の保持面２３に一致する取付面４３となり、後面４６が台座２２の背面２４に合致するように、取付面４３と直交する面に仕上げられ、両側面４４も取付面４３を直交する面となる。この六面体の前面は固定刃３０に対向する逃げ面４１となり、上面がローター２０の回転方向前方に位置するすくい面４２を規定する。すくい面４２と逃げ面４１との間の刃先角は４０〜５０度であり、すくい面４２の前端縁と逃げ面４１の上端縁との間に切刃縁４７を形成する。図６及び図７に示すように、すくい面４２は後面４６及び取付面４３と非平行な面とされ、切刃縁４７は、一方の側面４４から他方の側面４４に行くに従って、後面４６の上端縁からの奥行き（Ｄ）及び取付面４３の前端縁からの高さ（Ｈ）が次第に短くなるように傾斜し、図６に示すように、切刃縁４７は後面４６に対して４度から７度の角度で傾斜し、図７に示すように、底面の取付面４３に対して５度から７度の角度で傾斜する。これらの角度は、可動刃４０が描く回転軌跡Pの直径に依存する。可動刃４０の後端部には上面から底面の取付面４３に貫通する取付孔４５が形成され、この取付孔４５を通すボルト２８が台座２２のねじ穴２５に螺着されて、可動刃４０がローター２０に保持される。
【００２２】
可動刃４０がローター２０の台座２２にセットされて、ローター２０と共に軸の回りで一方向に回転すると、図１に示すように、可動刃４０の切刃縁４７が円軌跡を描き、可動刃４０の切刃縁４７が固定刃３０の刃先縁に近づく際、図１１（Ａ）（Ｂ）（Ｃ）に示すように、可動刃４０の逃げ面４１に相対する方向から見た場合に、すなわち、回転軌跡Ｐに接する面内では、可動刃４０の切刃縁４７が固定刃３０の刃先縁に対して斜めの状態で進む間に、切刃縁４７がその全長に亘って固定刃３０の刃先縁と協働することで、切断性能を向上させる。また、図１２（Ａ）（Ｂ）（Ｃ）に示すように、すくい面４２に相対する方向から見た場合でも、すなわち、回転軌跡Ｐの中心を含む面内で見たときに、固定刃３０の刃先縁に対して、可動刃２０の切刃縁４７が斜めになった状態で進む間に、切刃縁４７がその全長に亘って固定刃３０の刃先縁に接することができ、より一層剪断能力が高められ、破砕時の騒音もより一層低下させる。
【００２３】
可動刃４０は長時間使用により摩耗するため、公知の研磨装置を利用して定期的にすくい面４１を研磨することが求められる。この研磨装置は、図１８に示すように、研磨対象体を載置する研磨台１００と、研磨台１００に対して上下前後に移動する移動する研磨ヘッド１１０を備えており、研磨ヘッド１１０は水平軸の周りで回転駆動される回転砥石であり、研磨台１００が往復移動することで、研磨台１００上に固定する可動刃４０のすくい面４１を研磨する。
【００２４】
本発明において用いる可動刃４０は、すくい面４１が取付面４３である底面と非平行であることから、すくい面４１を上にして研磨台１００に乗せると、すくい面４１が傾斜面となるため、すくい面４１全体を研磨ヘッド１１０に対して亘って移動させて正確な研磨を行うことが困難となる。本発明に係る研磨用治具は、この不都合を解消するために準備された金属製のブロック６０である。このブロック６０は、複数の可動刃４０を一列に並べた状態で保持する構成をなし、図１８に示すように、研磨台１００に配備された電磁石１０２による磁気力で研磨台１００に固定される。
【００２５】
このブロック６０は、図１３〜図１５に示すように、上面、下面、正面、後面、両側面を有し、ブロック６０の底面が研磨台１００に面接触する基底面６１を規定し、上面に可動刃４０を載置する複数の載置面６２が形成される。ブロック６０の後面側には載置面６２より上方に突出するガイド６３が形成され、このガイド６３が可動刃４０の後面に面接触して可動刃４０をその前後方向で位置決めする第１位置決め面６４を形成している。載置面４２は可動刃４０の取付面４３に合致する形状となり、基底面６１と所定の角度で傾斜してこの載置面６２に載置する可動刃４０のすくい面４２が基底面６１と平行な状態でブロック６０の上面に露出する。ブロック６０には、更に、載置面４２の一端で可動刃４０の一方の側面４４を受け止めて可動刃４０の左右方向の位置決めを行う第２位置決め面６５が形成され、この第２位置決め面６５は、隣り合う載置面６２を区画する段差を形成する。
【００２６】
各載置面６２の左右方向の一端で第２位置決め面６５に近い箇所には、ガイド６３からブロック６０の正面に至る凹溝６７が形成され、凹溝６７がブロック６０の正面に開口している。
【００２７】
図１６及び図１７に示すように、可動刃４０をその取付面４３を載置面６２に向けて治具にセットし、この状態で、各可動刃４０の取付孔４５から載置面６２のねじ穴６６へボルト２８を通して、可動刃４０を治具に固定する。これにより、可動刃４０のすくい面４２がブロック６０の基底面６１、すなわち、研磨台１００の表面と平行とされ、各可動刃４０のすくい面４２が一平面内で一列に並ぶ。図１６に示すように、研磨ヘッド１１０をすくい面４２まで下降させ、この状態で、研磨台１００を左右に移動させることで、各可動刃４０のすくい面４２を一様に研磨することができる。
【００２８】
可動刃４０は、その制作過程において、一方の側面４４から取付面４３に若干のバリが突出する場合があるが、そのようなバリは第２位置決め面６５の一端に形成した凹溝６７に収めることができ、すくい面４２を研磨台１００の表面と平行に保つことができる。この場合、凹溝６７はブロック６０の正面に開口していることから、バリのある可動刃４０であっても、可動刃４０を載置面６２の前方からスライドさせて載置面６２にセットすることができる。
【符号の説明】
【００２９】
２０    ローター
２２    台座
２３    保持面
３０    固定刃
４０    可動刃
４１    逃げ面
４２    すくい面
４３    取付面
４４    側面
４６    後面
４７    切刃縁
６０    ブロック
６１    基底面
６２    載置面
６３    ガイド
６４    第１位置決め面
６５    第２位置決め面
６７    凹溝
１００  研磨台
１１０  研磨ヘッド
【図１】
0006543477.tif 000002
【図２】
0006543477.tif 000003
【図３】
0006543477.tif 000004
【図４】
0006543477.tif 000005
【図５】
0006543477.tif 000006
【図６】
0006543477.tif 000007
【図７】
0006543477.tif 000008
【図８】
0006543477.tif 000009
【図９】
0006543477.tif 000010
【図１０】
0006543477.tif 000011
【図１１】
0006543477.tif 000012
【図１２】
0006543477.tif 000013
【図１３】
0006543477.tif 000014
【図１４】
0006543477.tif 000015
【図１５】
0006543477.tif 000016
【図１６】
0006543477.tif 000017
【図１７】
0006543477.tif 000018
【図１８】
0006543477.tif 000019